(57)【要約】【課題】異物を含有している流動体内からその異物を効率的に除去すると共に全体構造がコンパクトにまとめられている異物除去装置を提供する。【解決手段】異物除去装置１は流動体の導入口５と排出口６と流動体移送通路７を有するケース本体２内に平板状の一部に永久磁石ユニット８と対峙する平坦部１０を形成するものからなる。流動体はこの平坦部１０と永久磁石ユニット８との間を通過する際に効率的な異物除去が行われる。【選択図】図１
2006247488.tif 000002
【特許請求の範囲】
【請求項１】
磁性異物を含有する流動体の導入される導入口と、前記異物が除去された前記流動体が排出される排出口と、前記導入口と排出口間を連通する流動体移送通路と、前記異物を除去する平板状で長さａの永久磁石ユニットを収納する収納部と、前記導入口と排出口と流動体移送通路及び収納部とを内部に形成するケース本体とを有する異物除去装置であって、該装置は、前記流動体移送通路に長さｂの平坦部を前記永久磁石ユニットと距離ｄを介して対峙する位置に形成することを特徴とする異物除去装置。
【請求項２】
前記平坦部の長さｂが、前記磁性体の長さａと略同一のものからなり、前記距離ｄが、前記永久磁石ユニットから発生する磁界の強度の作用範囲より短いことを特徴とする請求項１に記載の異物除去装置。
【請求項３】
前記ケース本体の前記平坦部は、前記導入口及び排出口の外面から下方に抉られた凹状溝の底面に形成されるものからなることを特徴とする請求項１又は２に記載の異物除去装置。
【請求項４】
前記凹状溝の前記底面には、永久磁石ユニットもしくは軟磁性体ユニットが搭載されることを特徴とする請求項４に記載の異物除去装置。
【発明の詳細な説明】
【技術分野】
【０００１】
本発明は、気体，液体，粉体もしくは粒体等の流動体に含有している異物類を除去するコンパクトな構造の異物除去装置に関する。
【背景技術】
【０００２】
飲料や様々な食品，薬品類，香辛料，調味料各種のプラスチック原料，顔料，肥料など様々な気体，液体，粉体及び粒体等の流動体には、その加工工程や製造工程にて様々な異物類が混入する可能性がある。例えば、製造や加工の工程において様々な設備が用いられるが、その装置類を構成する一部分等が破損等により混入する可能性を完全に否定することは困難である。近年では、製造物責任の考え方から異物の混入に対する対策は極めて重要なものとなっている。
【０００３】
様々な製品の製造工程では、様々な装置が利用され、また、様々な輸送が行われる。各種の加工や輸送などに供される設備類は主に金属類により構成されることが多く、また、金属類の老朽化や様々な衝撃等によりこれら金属類の異物類が混入を完全に無くすことは不可能であり現実的でない。完全を求めいかなる管理を行っても、混入異物類を全て排除することはできない。
【０００４】
従来から用いられている金属異物類除去装置は、一般的に、気体，液体，粉体及び粒体等を通過させるための入り口開口部及び出口開口部を有する異物類除去部に、磁石モジュールを接触させた構造のものが用いられることが多い。生産設備等を構成する材料の多くは鉄系であり、前記異物類は磁性をもっていることが多い。このような混入異物類では、強力な永久磁石モジュールを接触させた磁性異物類除去部を構成し、該磁性異物類除去部により磁性異物類を吸着し、前記気体，液体，粉体及び粒体等に混入した磁性異物類を除去することができる。
【０００５】
一方、従来より、この異物を除去するための各種の異物除去装置が採用されている。例えば、その公知技術として「特許文献１」や「特許文献２」が挙げられる。
【特許文献１】特開２００３−２１１０２２（図１）
【特許文献２】特開平８−２９００７６（図１）
【０００６】
「特許文献１」の「磁性体異物除去方法及び装置」は上下に目的物質の入口及び出口を形成する筒体状のチャンバ内に複数個のバーマグネット状の磁性体を配置すると共に磁性体に付着している目的物質を噴射除去するエアー噴射パイプを内蔵するものからなる。また、「特許文献２」の磁性体除去装置」は入口と出口を有する容器本体内に流動体の流れ方向に直角に永久磁石ユニット体を配置すると共に、吸着した磁性体を外部に取り出す機構部を設けるものからなる。
【発明の開示】
【発明が解決しようとする課題】
【０００７】
「特許文献１」や「特許文献２」に開示するように従来の異物除去装置は流動体の流方向と交差して磁性体を配置するものがほとんどであり、かつ流動体移送通路に永久磁石ユニットと平行する通路面等を形成するものはない。即ち、適宜長さ（面積）の平坦の永久磁石ユニットを流動体の方向に沿って配置すると共に、この永久磁石ユニットの近傍に永久磁石ユニットの長さ（面積）と関連する寸法の平坦の通路面を形成し、異物の除去効率の向上を図る構造の異物除去装置は存在しなかった。
【０００８】
本発明は、以上の事情に鑑みて発明されたものであり、全体がコンパクトにまとめて異物の除去効率の向上が図れる異物除去装置を提供することを目的とする。
【課題を解決するための手段】
【０００９】
本発明は、以上の目的を達成するために、請求項１の発明は、磁性異物を含有する流動体の導入される導入口と、前記異物が除去された前記流動体が排出される排出口と、前記導入口と排出口間を連通する流動体移送通路と、前記異物を除去する平板状で長さａの永久磁石ユニットを収納する収納部と、前記導入口と排出口と流動体移送通路及び収納部とを内部に形成するケース本体とを有する異物除去装置であって、該装置は、前記流動体移送通路に長さｂの平坦部を前記永久磁石ユニットと距離ｄを介して対峙する位置に形成することを特徴とする。
【００１０】
また、請求項２の発明は、前記平坦部の長さｂが、前記磁性体の長さａと略同一のものからなり、前記距離ｄが、前記永久磁石ユニットから発生する磁界の強度の作用範囲より短いことを特徴とする。
【００１１】
また、請求項３の発明は、前記ケース本体の前記平坦部は、前記導入口及び排出口の外面から下方に抉られた凹状溝の底面に形成されるものからなることを特徴とする。
【００１２】
また、請求項４の発明は、前記凹状溝の前記底面には、永久磁石ユニットもしくは軟磁性体ユニットが搭載されることを特徴とする。
【発明の効果】
【００１３】
本発明の請求項１の発明によれば、平板状の永久磁石ユニットとこれと適宜の距離を隔てて配置される平坦部を有する流動体移送通路をケース本体内に配置することにより流動体移送通路を通過する流動体内の異物（磁性体）の吸着が確実に行われ、除去効率の向上が図れる。また、導入口，排出口，流動体移送通路及び永久磁石ユニットの収納部がケース本体内に配置され、全体としてコンパクトの構造となる。
【００１４】
また、本発明の請求項２の発明によれば、平坦部の大きさとその永久磁石ユニットからの距離を特定することにより、無駄のない効率的の異物の除去を行うことができる。
【００１５】
また、本発明の請求項３の発明によれば、平坦部がケース本体の凹状溝の底面の部位に形成されるため比較的正確な形状に形成される。また、ケース本体に凹状溝を形成することにより軽量が図れる。
【００１６】
また、本発明の請求項４の発明によれば、底面の部位に永久磁石ユニットもしくは軟磁性体ユニットを搭載することにより収納部に設けられている永久磁石ユニットより発生する磁界の強化あるいは整流化ができ、磁界を最大限に有効利用することができる。
【発明を実施するための最良の形態】
【００１７】
以下、本発明の異物除去装置の実施の形態を図面を参照して詳述する。図１乃至図３は本発明の異物除去装置の概要構造を示す図面である。異物除去装置１は上ケース３と下ケース４とからなるコンパクト構造ケース本体２と、この中に形成及び配置される導入口５，排出口６，流動体移送通路７及び永久磁石ユニット８等とからなる。
【００１８】
上ケース３は、流動体の導入される導入口５と異物類を除去された流動体の排出される排出口６と導入口５と排出口６に連結する流動体移送通路７を形成するものからなり、その下方の開口部９は本例では円形のものからなる。また、導入口５と排出口６とは相対向する位置に上方位置側にされ、流動体移送通路７は導入口５及び排出口６に連通する傾斜通路７ａと開口部９側の平坦通路７ｂを形成するものからなり、この平坦通路７ｂに平坦部１０が形成される。なお、この平坦部１０の図の直角方向の部分は図２に示すように開口部９の内壁側に連結している。上ケース３の上面側の詳細構造を図１及び図５に説明する。前記のように導入口５と排出口６とは略同一レベル位置に形成され、その外面はほぼ同一レベルにある。一方、導入口５と排出口６との間の部分は大きく抉られ凹状溝１４を形成する。この凹状溝１４の底面１５が前記の平坦通路７ｂの平坦部１０の外面に相当するものとなる。以上により、平坦部１０は上ケース３の造形時において正確な形状に形成される。
【００１９】
下ケース４は、図１に示すように上ケース３の開口部９に嵌り込みフランジ部４ａを有する皿状のものからなり、底面側には収納部１１が凹設される。なお、この収納部１１には平坦状の永久磁石ユニット８が収納される。また、この永久磁石ユニット８の流動体進行方向に沿う長さ（面積）は寸法ａである。なお、この永久磁石ユニット８と前記の平坦部１０とは距離ｄを隔てて配置される。
【実施例１】
【００２０】
図４は本発明の異物除去装置１の平坦部１０と永久磁石ユニット８との形状及び位置関係を示す模式図である。前記のように、流動体移送通路７の平坦部１０は流動体の流れ方向に沿って長さｂの形状のものからなる。一方、永久磁石ユニット８は平坦部１０から距離ｄだけ隔てた位置に配置され、流動体の流れ方向の長さはｂからなる。なお、長さａ，ｂについては適宜の寸法が異物除去装置１の大きさに応じて決められるが、平坦部１０の長さｂは永久磁石ユニット８の長さａと略同一の寸法からなる。このことは、次の理由による。導入口５からケース本体４内に導入された流動体は傾斜通路７ａの傾斜に沿って進むと共に、平坦通路７ｂの位置近傍で永久磁石ユニット８の面に沿って流れ、最も異物が永久磁石ユニット８に吸着し易い状態にある。この状態において、平坦部１０の長さｂが永久磁石ユニット８の長さａに比較して短い場合、永久磁石ユニット８から発生する磁界を十分に有効に利用して異物除去を行なうことができない。即ち、永久磁石ユニット８から発生する磁界のうち永久磁石ユニット８の両端部分には平坦部１０の平行部分が形成されていないため永久磁石ユニット８から発生する磁界のうち十分に強い部分の中を流動体等が流れるとは限らないためである。一方、平坦部１０の長さｂが永久磁石ユニット８の長さａに比較して長い場合、永久磁石ユニット８から発生する磁界を十分に有効利用して異物除去を行なうことができない。即ち、永久磁石ユニット８から発生する磁界の領域に比較して平坦部１０の長さが長いため平坦部１０の全領域にわたって十分に強い磁界を得るひとが困難となり、平坦部１０の中を流動体等が流れるとき永久磁石ユニット８から発生される磁界を最大限に利用できるとは限らないためである。以上により、平坦部１０の長さｂは永久磁石ユニット８から発生される磁界を最大限に利用するために永久磁石ユニット８の長さａに概略相当する程度に設定されることが必要になる。
【００２１】
一方、平坦部１０と永久磁石ユニット８との間隔（距離）ｄは任意のものでなく、次の制限内のものからなる。即ち、永久磁石ユニット８からは平坦部１０側に向かって磁界が形成される。この磁界の強度の範囲が異物吸着性のある場所である。よって、この距離ｄは少なくとも磁界強度の作用範囲内でなければならず、極力小さいことが望ましい。一例としてこの距離ｄは磁界強度の１／２程度が採用される。
【００２２】
次に、本発明の異物除去装置１による異物除去作用を説明する。異物（磁性体）を含有する流動体は導入口５からケース本体４内に導入され、傾斜通路７ａを下り、平坦通路７ｂに周り込む。ここで流動体は永久磁石ユニット８と平坦部１０とで形成される比較的狭い通路内を永久磁石ユニット８の表面に沿って平行に進む。この通路内は永久磁石ユニット８の磁力がほぼ均等に作用している範囲であり、流動体内の異物は永久磁石ユニット８側に効果的に吸着される。この範囲で異物除去された流動体は傾斜通路７ａを昇り、排出口６から排出されることにある。
【００２３】
異物除去装置１の長期間にわたる使用により永久磁石ユニット８の表面には磁性体が次第に蓄積される。この場合にはバンド１２を外し、上ケース３と下ケース４との結合を解除し、把手１３で下ケース４を取り外し収納されている永久磁石ユニット８上の異物類を祓い落とせばよい。
【００２４】
図５は、本発明の異物除去装置の別の実施例を示す。実施例１では平坦部１０の外面に当る底面１５にはなにも搭載されていなかったが、本実施例では、この底面１５上に永久磁石ユニットあるいは軟磁性体ユニット１６が搭載される。これを搭載することにより永久磁石ユニット８により発生された磁界が強化あるいは整流化され磁界を最大限に有効利用できる効果を上げることができる。
【００２５】
本発明の異物除去装置１は前記の構造からなるが、以上の内容のものに限定するものではない。また、使用されている永久磁石ユニット８の形状やその詳細構造についてはここで説明を省略しているが各種の形態のものが適用される。また、ケース本体４の外観形状も図１等に開示するものに限定するものではない。
【産業上の利用の可能性】
【００２６】
本発明の異物除去装置は異物（磁性物）を含有した形態で流れる気体，流動体，粉体等のすべての流動体に対して適用され、その利用範囲は広い。
【図面の簡単な説明】
【００２７】
【図１】本発明の異物除去装置の全体構造を示す断面図。
【図２】図１のＡ矢視の底面図。
【図３】図１の側断面図。
【図４】本発明の異物除去装置の主要部の関連寸法を説明するための模式部分断面図。
【図５】本発明の別の実施例を説明するための断面図。
【符号の説明】
【００２８】
１    異物除去装置
２    ケース本体
３    上ケース
４    下ケース
５    導入口
６    排出口
７    流動体移送通路
７ａ  傾斜通路
７ｂ  平坦通路
８    永久磁石ユニット
９    開口部
１０  平坦部
１１  収納部
１２  バンド
１３  把手
１４  凹状溝
１５  底面
１６  永久磁石ユニットあるいは軟磁性体ユニット
【図１】
2006247488.tif 000003
【図２】
2006247488.tif 000004
【図３】
2006247488.tif 000005
【図４】
2006247488.tif 000006
【図５】
2006247488.tif 000007